(57)【要約】【課題】  デッキボードの片面にフォーク差込口を形成するように桁材が設けられた紙製パレットにおいて、パレットを構成するデッキボードや桁材が十分な強度や耐久性を有すると共に、デッキボードに桁材が簡単且つ強固に取り付けられ、フォークが桁材にあたった場合等に桁材がデッキボードから外れたりすることがなく、長期にわたって安定して使用できる紙製パレットを提供する。【解決手段】  デッキボード１０の片面にフォーク差込口２３を形成するように桁材２０が設けられた紙製パレットＰにおいて、デッキボード及び桁材に、パルプにバインダーを加えて結着させると共に圧縮成形させて平板部１の片面に交差状になったリブ２が形成された基材Ｓを用いた。【選択図】  図７
2006341902.tif 000002
【特許請求の範囲】
【請求項１】
デッキボードの片面にフォーク差込口を形成するように桁材が設けられた紙製パレットにおいて、上記のデッキボード及び桁材に、パルプにバインダーを加えて結着させると共に圧縮成形させて平板部の片面に交差状になったリブが形成された基材を用いたことを特徴とする紙製パレット。
【請求項２】
請求項１に記載の紙製パレットにおいて、上記のパルプの原料に繊維質リサイクル資源を用いると共に、上記の平板部の片面に設ける交差状のリブをハニカム状に形成したことを特徴とする紙製パレット。
【請求項３】
請求項１又は請求項２に記載した紙製パレットにおいて、上記の桁材に用いる桁材用基材に嵌込用溝が設けられたものを用い、この桁材用基材における嵌込用溝により桁材用基材相互を嵌め合わせて桁材を構成したことを特徴とする紙製パレット。
【請求項４】
請求項３に記載した紙製パレットにおいて、上記の桁材がブロック状に形成され、このブロック状に形成された桁材が前記のデッキボードの片面にフォーク差込口を形成するようにして複数取り付けられていることを特徴とする紙製パレット。
【請求項５】
請求項３に記載した紙製パレットにおいて、フォークの差込方向に伸びた第１桁材用基材と、フォークの差込方向と直交する方向に伸びると共にフォーク差込口が設けられた第２桁材用基材とを用い、第１桁材用基材に設けられた嵌込用溝と第２桁材用基材に設けられた嵌込用溝とを嵌め合わせるようにしたことを特徴とする紙製パレット。
【請求項６】
請求項１〜請求項５の何れか１項に記載した紙製パレットにおいて、上記のデッキボードと桁材とを段ボールシートを介して接着させたことを特徴とする紙製パレット。
【請求項７】
請求項４に記載した紙製パレットにおいて、２枚以上のデッキ用基材を積層させたデッキボードを用い、上記のブロック状に形成された桁材を取り付ける面に位置するデッキ用基材に、上記の桁材を嵌め込む取付穴を設けたことを特徴とする紙製パレット。
【請求項８】
請求項１〜請求項７の何れか１項に記載した紙製パレットにＩＣチップを取り付けたことを特徴とする紙製パレット。
【発明の詳細な説明】
【技術分野】
【０００１】
この発明は、荷物を載せてフォークリフト等で運搬するのに使用する紙製パレットに係り、特に、デッキボードの片面にフォーク差込口を形成するように桁材が設けられた紙製パレットにおいて、紙製パレット全体として十分な強度を有すると共に、デッキボードに桁材が簡単且つ強固に取り付けられるようにした点に特徴を有するものである。
【背景技術】
【０００２】
従来から荷物をフォークリフト等で運搬するのに、一般に木材やプラスチックや紙で構成されたパレットが使用されている。
【０００３】
ここで、木材で構成された木製パレットの場合、一般に重量が大きくて、製造コストも高くつき、また近年の自然保護の点から木材の使用が制限され、さらに使用後の廃棄処理も問題になっている。
【０００４】
また、プラスチックで構成されたプラスチック製パレットの場合においても、一般に重量が大きく、製造にあたっては金型等のコストが膨大で、様々なサイズのものを製造することが困難であり、さらに使用後の廃棄処理が大きな問題になっている。
【０００５】
このため、近年においては、上記のような木材やプラスチックに代えて紙を使用した紙製パレットが検討されるようになった。
【０００６】
そして、このような紙製パレットとしては、合紙や段ボールシート等で構成された平板に、合紙等をアングル状に成型した補強材を取り付けたデッキボードを使用し、このデッキボードの片面に、フォーク差込口を形成するように合紙等で作成した桁材を適当な間隔を介して平行に複数接着させた紙製パレット（例えば、特許文献１参照。）が提案されている。
【０００７】
しかし、上記のような紙製パレットの場合、パレットを構成するデッキボードや桁材が十分な強度や耐久性を有しているとはいえず、何度も使用することが困難であり、またフォーク差込口にフォークを差し込む場合に、フォークが桁材にあたると、桁材が大きく変形したり、破損したりし、また桁材がデッキボードから外れたりする等の問題もあった。
【特許文献１】特開平８−７２８７６号公報
【発明の開示】
【発明が解決しようとする課題】
【０００８】
この発明は、荷物を載せてフォークリフト等で運搬するのに使用する紙製パレットにおける上記のような問題を解決することを課題とするものである。
【０００９】
すなわち、この発明においては、デッキボードの片面にフォーク差込口を形成するように桁材が設けられた紙製パレットにおいて、パレットを構成するデッキボードや桁材が十分な強度や耐久性を有すると共に、デッキボードに桁材が簡単且つ強固に取り付けられ、フォークが桁材にあたった場合等において、桁材がデッキボードから外れたりすることがなく、長期にわたって何度も安定して使用できる紙製パレットを提供することを課題とするものである。
【課題を解決するための手段】
【００１０】
この発明における紙製パレットにおいては、上記のような課題を解決するため、デッキボードの片面にフォーク差込口を形成するように桁材が設けられた紙製パレットにおいて、上記のデッキボード及び桁材に、パルプにバインダーを加えて結着させると共に圧縮成形させて平板部の片面に交差状になったリブが形成された基材を用いるようにした。
【００１１】
ここで、上記の紙製パレットにおいては、デッキボード及び桁材に使用する基材の原料となるパルプとしては、古紙などの繊維質リサイクル資源を用いることが好ましく、また上記の平板部の片面に設ける交差状のリブをハニカム状に形成することが好ましい。
【００１２】
また、上記の基材を用いて桁材を形成するにあたっては、様々な方法を用いることができるが、嵌込用溝が設けられた桁材用基材を用い、この嵌込用溝により桁材用基材相互を嵌め合わせて桁材を形成することが好ましい。
【００１３】
また、桁材をデッキボードの片面に取り付けるにあたっても、様々な方法を用いることができるが、デッキボードと桁材との間に、例えば段ボールシートのように上記の基材との接着性が高く且つクッション性のあるシートを介在させて、デッキボードと桁材とを接着させるようにしたり、またブロック状に形成された桁材を用いた場合には、２枚以上のデッキ用基材を積層させたデッキボードを用い、桁材を取り付ける面に位置するデッキ用基材に取付穴を設け、この取付穴に桁材を嵌め込むようにして接着させることが好ましい。
【００１４】
また、上記の紙製パレットにＩＣチップを取り付けることもできる。
【発明の効果】
【００１５】
この発明における紙製パレットにおいては、上記のようにデッキボード及び桁材に、パルプにバインダーを加えて結着させると共に圧縮成形させて平板部の片面に交差状になったリブが形成された基材を用いるようにしたため、このデッキボード及び桁材の強度や耐久性が段ボール等の紙材を用いた場合に比べて著しく向上し、十分な強度や耐久性を有する紙製パレットが得られる。
【００１６】
また、デッキボード及び桁材に使用する上記の基材の原料となるパルプに古紙などの繊維質リサイクル資源を用いると資源の有効利用が図られるようになり、またこの紙製パレットを何度も再生して使用できるようになる。また、平板部の片面に設ける交差状のリブをハニカム状に形成すると、上記の基材の強度がさらに向上し、さらに強度の高い紙製パレットが得られる。
【００１７】
また、桁材を形成するにあたり、嵌込用溝が設けられた桁材用基材を用い、この嵌込用溝により桁材用基材相互を嵌め合わせるようにすると、桁材用基材に折り曲げ用の切り込み等を設けて桁材用基材を折り曲げたりする必要がなく、簡単に桁材を製造できるようになる。
【００１８】
そして、上記のように嵌込用溝が設けられた桁材用基材を用い、この嵌込用溝により桁材用基材相互を嵌め合わせて、ブロック状になった桁材を形成する場合には、様々な長さの桁材用基材を準備して組み合わせることにより、それぞれの用途に応じた適当な大きさになったブロック状の桁材を簡単に製造できるようになる。
【００１９】
また、フォークの差込方向に伸びた第１桁材用基材と、フォークの差込方向と直交する方向に伸びると共にフォーク差込口が設けられた第２桁材用基材とを用い、第１桁材用基材に設けられた嵌込用溝と第２桁材用基材に設けられた嵌込用溝とを嵌め合わせるようにすると、デッキボードが上記の交差する第１及び第２桁材用基材によって保持され、デッキボードがフォークの差込方向やこれと直交する方向に歪むのが防止されるようになる。
【００２０】
また、桁材をデッキボードの片面に取り付けるにあたり、デッキボードと桁材との間に、段ボールシートのように上記の基材との接着性が高く且つクッション性のあるシートを介在させて、デッキボードと桁材とを接着させると、このシートを介してデッキボードに桁材が強固に接着されるようになり、桁材にフォークがあたった場合等においても、桁材がデッキボードから外れたりするのが防止される。
【００２１】
また、ブロック状に形成された桁材をデッキボードの片面に取り付けるにあたり、２枚以上のデッキ用基材を積層させたデッキボードを用い、桁材を取り付ける面に位置するデッキ用基材に取付穴を設け、この取付穴に桁材を嵌め込むようにして接着させると、桁材がデッキボードの取付穴に保持されて強固に取り付けられるようになり、桁材にフォークがあたった場合等においても、桁材がデッキボードから外れたりするのが防止される。
【００２２】
また、上記の紙製パレットにＩＣチップを取り付け、このＩＣチップに紙製パレットの製造日、使用回数、使用状況、保管状況などを記憶させると、紙製パレットの寿命や、各保管場所における紙製パレットの数量等の様々な管理が容易に行えるようになる。
【発明を実施するための最良の形態】
【００２３】
以下、この発明の実施形態に係る紙製パレットを添付図面に基づいて具体的に説明する。なお、この発明に係る紙製パレットは下記の実施形態に示したものに限定されず、発明の要旨を変更しない範囲において、適宜変更して実施できるものである。
【００２４】
この実施形態においては、パルプにバインダーを加えて結着させると共に圧縮成形させた基材Ｓとして、図１（Ａ），（Ｂ）に示すように、平板部１の片面にハニカム状になったリブ２が形成されたものを用いるようにした。なお、基材Ｓにおいて、平板部１の片面に設けるリブ２は上記のハニカム状になったものに限定されず、リブ２が交差して形成される形状が菱形状等の形状になっていてもよい。
【００２５】
ここで、上記の基材Ｓを紙製パレットＰのデッキボート１０や桁材２０に使用するにあたっては、上記の基材Ｓを１枚で使用するほか、デッキボート１０や桁材２０の強度を高めるため、複数枚の基材Ｓを積層させるように接着させて使用することができる。例えば、図２に示すように、リブ２が設けられた面同士を合わせるようにして２枚の基材Ｓ，Ｓを接着させて、両面に各基材Ｓ，Ｓの平板部１，１が位置するようにしたり、図３に示すように、平板部１，１同士を合わせるようにして２枚の基材Ｓ，Ｓを接着させて、両面に各基材Ｓ，Ｓにおけるリブ２，２が位置するようにしたり、図４に示すように、リブ２が設けられた面と平板部２とを合わせるようにして２枚の基材Ｓ，Ｓを接着させて、片面に平板部１が反対側の面にリブ２が位置するようにして、使用することができる。
【００２６】
また、上記のような基材Ｓ及び基材Ｓを積層させたものをデッキボード１０に使用するにあたり、荷物を積載させるデッキボード１０の表面に、基材Ｓの平面部１を位置させることも、基材Ｓのリブ２が設けられた面を位置させることもできる。ここで、デッキボード１０の表面に基材Ｓの平面部１を位置させると、このデッキボード１０の表面が平坦な状態になるため、このデッキボード１０の上に荷物を積載させたりする際に、デッキボード１０の表面が削られて紙粉等が発生するのが少なくなる。一方、デッキボード１０の表面に基材Ｓのリブ２が設けられた面を位置させると、このデッキボード１０の表面が凹凸状になり、このデッキボード１０の上に荷物を積載させて搬送させたりする際に、荷物がずれたりするのが防止される。このため、デッキボード１０の表面に、基材Ｓの平面部１を位置させるか、基材Ｓのリブ２が設けられた面を位置させるかは、紙製パレットＰの使用目的などに応じて適宜変更させることができる。
【００２７】
次に、デッキボート１０や桁材２０に、上記のような基材Ｓで構成されたデッキ用基材Ｓａと桁材用基材Ｓｂとを用いた紙製パレットＰの具体的な実施形態について説明する。なお、以下の図面においては、便宜上、各基材Ｓａ，Ｓｂを１枚の板材として示すが、各基材Ｓａ，Ｓｂは、その平面部１とリブ２とが何れの面に位置していてもよく、また上記のように基材Ｓが複数枚接着されて積層されたものであってもよい。
【００２８】
（実施形態１）
この実施形態における紙製パレットＰにおいては、桁材２０を構成する桁材用基材Ｓｂとして、図５に示すように、適当な大きさに切断されると共にその両端部にそれぞれ位置が異なるようにして嵌込用溝２１と突起２２とが形成されたものを用いるようにした。
【００２９】
そして、図６に示すように、一方の桁材用基材Ｓｂに設けられた嵌込用溝２１に他方の桁材用基材Ｓｂに設けられた突起２２を嵌め合わせるようにして、４つの桁材用基材Ｓｂ相互を接着させ、四角環状になった桁材２０を形成するようにした。
【００３０】
そして、上記のように四角環状になった桁材２０を、デッキボード１０の片面にフォーク差込口２３を形成するようにして取り付けるにあたっては、図７（Ａ），（Ｂ）に示すように、桁材２０を取り付けるデッキボード１０の面に段ボールシート３０を接着させ、この段ボールシート３０に上記の桁材２０を適当な間隔を介して複数接着させるようにした。
【００３１】
なお、この実施形態における紙製パレットＰにおいては、上記のようにデッキボード１０の片面に桁材２０を取り付けるようにしただけであるが、この紙製パレットＰの強度を高めるため、図８（Ａ），（Ｂ）に示すように、フォークの差し込み方向又は差し込み方向と直交する方向に沿って配列された桁材２０の下に架け渡すようにして、上記の基材Ｓで細長の長方形状に形成された補強材４０を上記のように段ボールシート３０を介して接着させることができる。
【００３２】
さらに、この紙製パレットＰの両面を使用できるようにするため、図９に示すように、デッキボード１０を両面に設け、各デッキボード１０の面に上記のように段ボールシート３０を介して上記の桁材２０を接着させて、デッキボード１０，１０間に上記の桁材２０を挟み込むようにすることもできる。
【００３３】
なお、この実施形態において使用する桁材２０は上記のようなものに限定されず、例えば、図１０（Ａ），（Ｂ）に示すように、桁材用基材Ｓｂの一辺に所要間隔を介して一対の嵌込用溝２１を設け、各桁材用基材Ｓｂにおける嵌込用溝２１相互を嵌め合わせるようにして４つの桁材用基材Ｓｂ相互を接着させて、井桁状になった桁材２０を用いることも可能である。
【００３４】
（実施形態２）
この実施形態における紙製パレットＰにおいても、桁材２０としては、上記の実施形態１の場合と同じ四角環状に形成された桁材２０を用いるようにした。
【００３５】
ここで、この実施形態においては、図１１に示すように、上記のデッキボード１０に２枚のデッキ用基材Ｓａ，Ｓａを用いるようにし、一方のデッキ用基材Ｓａに上記の桁材２０を取り付ける部分に対応するようにして取付穴１１を設け、このように取付穴１１を設けたデッキ用基材Ｓａと取付穴１１が設けられていないデッキ用基材Ｓａとを積層させて接着させるようにした。
【００３６】
そして、この実施形態においては、図１２に示すように、上記のデッキボード１０における取付穴１１が設けられたデッキ用基材Ｓａに対し、上記の四角環状に形成された桁材２０をそれぞれ取付穴１１に嵌め込むようにして接着させるようにした。
【００３７】
また、この実施形態における紙製パレットＰにおいても、上記の実施形態１の場合と同様に、フォークの差し込み方向又は差し込み方向と直交する方向に沿って配列された桁材２０の下に架け渡すようにして補強材４０を設けることができる。この場合、図１３に示すように、基材Ｓで細長の長方形状に形成された補強材４０を２枚接着させたものを用いるようにし、１つの補強材４０に上記の桁材２０を取り付ける部分に対応するようにして取付穴４１を設け、このように取付穴４１が設けられた補強材４０に対して、上記の四角環状に形成された桁材２０をそれぞれの取付穴４１に嵌め込むようにして接着させることもできる。
【００３８】
さらに、図１４に示すように、上記のようなデッキボード１０を両面に設け、各デッキボード１０のデッキ用基材Ｓａに設けられた取付穴１１に上記の四角環状に形成された桁材２０を嵌め込むようにして接着させて、この一対のデッキボード１０，１０間に上記の桁材２０を挟み込むように取り付けることもできる。
【００３９】
（実施形態３）
この実施形態における紙製パレットＰにおいては、桁材２０に、図１５（Ａ），（Ｂ）に示すように、フォークの差込方向に適当な間隔を介して嵌込用溝２１ａが複数設けられた第１桁材用基材Ｓｂ１と、フォークの差込方向と直交する方向に適当な間隔を介して上記の嵌込用溝２１ａと嵌め合わせる嵌込用溝２１ｂが複数設けられると共に一対のフォーク差込口２３が所要間隔を介して設けられた第２桁材用基材Ｓｂ２とを用いるようにした。
【００４０】
そして、上記の第１桁材用基材Ｓｂ１における嵌込用溝２１ａと第２桁材用基材Ｓｂ２における嵌込用溝２１ｂとを嵌め合わせるようにし、図１６に示すように、第１桁材用基材Ｓｂ１と第２桁材用基材Ｓｂ２とをそれぞれ所要数（図に示す例では、第１桁材用基材Ｓｂ１を４本、第２桁材用基材Ｓｂ２を6本）とを取り付けて、桁材２０を形成するようにした。
【００４１】
一方、デッキボード１０においては、図１７に示すように、デッキ用基材Ｓａの片面に上記の桁材２０に対応するようにして、上記の第１桁材用基材Ｓｂ１と第２桁材用基材Ｓｂ２とを嵌め込むための取付溝１２を形成した。
【００４２】
そして、デッキボード１０に設けた上記の取付溝１２に上記の第１桁材用基材Ｓｂ１と第２桁材用基材Ｓｂ２とを嵌め込むようにして接着させ、図１８に示すように、デッキボード１０の片面に桁材２０を設けるようにした。
【００４３】
また、上記の各実施形態における紙製パレットＰの適当な位置にＩＣチップを取り付け、このＩＣチップに紙製パレットＰの製造日、使用回数、使用状況、保管状況などを記憶させると、紙製パレットＰの寿命や、各保管場所における紙製パレットＰの数量などの様々な管理が容易に行えるようになる。なお、このように紙製パレットＰにＩＣチップを取り付けるにあたっては、フォークや荷物などが当らない位置に設けることが望ましい。
【図面の簡単な説明】
【００４４】
【図１】この発明の実施形態に係る紙製パレットに使用する基材の概略平面図及び概略断面図である。
【図２】図１に示した基材を積層させて使用する第１の例を示した概略断面図である。
【図３】図１に示した基材を積層させて使用する第２の例を示した概略断面図である。
【図４】図１に示した基材を積層させて使用する第３の例を示した概略断面図である。
【図５】この発明の実施形態１に係る紙製パレットにおいて、桁材に使用する桁材用基材の概略斜視図である。
【図６】上記の実施形態１に係る紙製パレットにおいて、上記の桁材用基材を用いて作製した桁材の概略斜視図である。
【図７】上記の実施形態１に係る紙製パレットの概略正面図及び概略底面図である。
【図８】上記の実施形態１に係る紙製パレットにおいて、フォークの差し込み方向に沿って配列された桁材の下に架け渡すようにして補強材を設けた第１の変更例に係る紙製パレットの概略正面図及び概略底面図である。
【図９】上記の実施形態１に係る紙製パレットにおいて、桁材を挟み込むようにデッキボードを両面に設けた第２の変更例に係る紙製パレットの概略正面図である。
【図１０】上記の実施形態１に係る紙製パレットにおいて、桁材に使用する桁材用基材及び桁材の変更例を示した概略斜視図である。
【図１１】この発明の実施形態２に係る紙製パレットにおいて使用するデッキボードの概略断面図及び概略底面図である。
【図１２】上記の実施形態２に係る紙製パレットの概略断面図である。
【図１３】上記の実施形態２に係る紙製パレットにおいて、フォークの差し込み方向に沿って配列された桁材の下に架け渡すようにして補強材を設けた第１の変更例に係る紙製パレットの概略断面図である。
【図１４】上記の実施形態２に係る紙製パレットにおいて、桁材を挟み込むようにデッキボードを両面に設けた第２の変更例に係る紙製パレットの概略断面図である。
【図１５】この発明の実施形態３に係る紙製パレットにおいて、桁材に使用する第１桁材用基材及び第２桁材用基材の概略斜視図である。
【図１６】上記の実施形態３に係る紙製パレットにおいて、上記の第１桁材用基材及び第２桁材用基材を用いて作製した桁材の概略平面図である。
【図１７】上記の実施形態３に係る紙製パレットにおいて、上記の第１桁材用基材及び第２桁材用基材を嵌め込む取付溝を設けたデッキボードの概略底面図である。
【図１８】上記の実施形態３に係る紙製パレットの概略正面図である。
【符号の説明】
【００４５】
１  平面部
２  リブ
１０  デッキボード
１１  取付穴
１２  取付溝
２０  桁材
２１  嵌込用溝
２２  突起
２３  フォーク差込口
３０  段ボールシート
４０  補強材
４１  取付穴
Ｐ  紙製パネル
Ｓ  基材
Ｓａ  デッキ用基材
Ｓｂ  桁材用基材
Ｓｂ１  第１桁材用基材
Ｓｂ２  第２桁材用基材
【図１】
2006341902.tif 000003
【図２】
2006341902.tif 000004
【図３】
2006341902.tif 000005
【図４】
2006341902.tif 000006
【図５】
2006341902.tif 000007
【図６】
2006341902.tif 000008
【図７】
2006341902.tif 000009
【図８】
2006341902.tif 000010
【図９】
2006341902.tif 000011
【図１０】
2006341902.tif 000012
【図１１】
2006341902.tif 000013
【図１２】
2006341902.tif 000014
【図１３】
2006341902.tif 000015
【図１４】
2006341902.tif 000016
【図１５】
2006341902.tif 000017
【図１６】
2006341902.tif 000018
【図１７】
2006341902.tif 000019
【図１８】
2006341902.tif 000020